【手続補正書】
【提出日】平成28年12月26日(2016.12.26)
【手続補正１】
【補正対象書類名】特許請求の範囲
【補正対象項目名】全文
【補正方法】変更
【補正の内容】
【特許請求の範囲】
【請求項１】
第１の撮像手段と、
第２の撮像手段と、
前記第１の撮像手段により撮影された第１の画像と、前記第２の撮像手段により撮影された第２の画像とを合成した合成画像を生成する合成手段と、
前記合成手段により生成された合成画像と、前記合成画像の合成に関する合成情報を記録媒体に記録する記録手段と、
前記記録媒体に記録された画像を表示手段に表示するための制御をする表示制御手段と、を有し、
前記表示制御手段は、前記合成情報に基づいて、前記合成画像から前記第２の画像を抽出して表示するように制御することを特徴とする撮像装置。
【請求項２】
前記合成情報は、前記第２の画像の合成位置を含むことを特徴とする請求項１に記載の撮像装置。
【請求項３】
前記合成情報は、前記第２の画像の合成サイズを含むことを特徴とする請求項１または２に記載の撮像装置。
【請求項４】
前記第２の画像および前記合成画像は、動画であることを特徴とする請求項１ないし３のいずれか１項に記載の撮像装置。
【請求項５】
前記第１の撮像手段は被写体を撮影するための撮像手段、前記第２の撮像手段は撮影者を撮影するための撮像手段であって、
前記表示制御手段は、前記合成画像から抽出した前記第２の画像を、撮影者として表示することを特徴とする請求項１ないし４のいずれか１項に記載の撮像装置。
【請求項６】
前記表示制御手段は、前記撮影者が撮影されている前記第２の画像と共に、テキスト情報を表示するように制御することを特徴とする請求項５に記載の撮像装置。
【請求項７】
前記表示制御手段は、前記撮影者が撮影されている前記第２の画像と共に、前記第２の画像が撮影者であることを示すテキスト情報を表示するように制御することを特徴とする請求項６に記載の撮像装置。
【請求項８】
第１の撮像手段と第２の撮像手段を有する撮像装置により記録媒体に記録された合成画像であって、前記第１の撮像手段により撮影された前記第１の画像と前記第２の撮像手段により撮影された第２の画像とが合成されている合成画像と、前記合成画像に関する合成情報と、を前記記録媒体から読み出す読み出し手段と、
前記記録媒体から読み出した画像を表示手段に表示するように制御する表示制御手段と、有し、
前記表示制御手段は、前記合成情報に基づいて、前記合成画像から前記第２の画像を抽出して表示するように制御することを特徴とする画像処理装置。
【請求項９】
前記合成情報には、前記第２の画像の合成位置と合成された際の画像のサイズが含まれていることを特徴とする請求項８に記載の画像処理装置。
【請求項１０】
前記第２の画像および前記合成画像は動画であることを特徴とする請求項８に記載の画像処理装置。
【請求項１１】
前記合成画像は、前記撮像装置において複数回の撮影により得られた動画が１つの動画データとして前記記録媒体に記録されており、
前記合成情報は、前記第２の画像が合成されている前記動画データ中の期間に関する情報を含むことを特徴とする請求項１０に記載の制御装置。
【請求項１２】
前記第２の画像と合成されていない前記第１の画像は前記合成画像と関連付けて前記記録媒体に記録されているが、前記第１の画像と合成されていない前記第２の画像は前記記録媒体に記録されていないことを特徴とする請求項８ないし１１のいずれか１項に記載の画像処理装置。
【請求項１３】
前記画像処理装置は、複数の画像を連続して再生するための再生機能を有し、
前記再生機能の実行が指示された場合に、前記表示制御手段は、前記記録媒体に記録された画像の中から再生対象となる複数の画像を自動的に選択し、選択した複数の画像を連続して表示させるように制御し、
前記再生機能において、前記第１の画像が合成された合成画像または前記第１の画像が表示される場合に、前記表示制御手段は、前記合成画像から抽出された第２の画像表示するように制御することを特徴とする請求項８に記載の制御装置。
【請求項１４】
前記第２の画像には、前記第１の画像を撮影した撮影者が含まれていることを特徴とする請求項１３に記載の撮像装置。
【請求項１５】
前記再生機能において再生対象として選択された複数の画像が連続的に再生される動画データを生成する生成手段を有することを特徴とする請求項１３または１４に記載の制御装置。
【請求項１６】
前記第２の画像には、前記第１の画像を撮影した撮影者が含まれており、
前記表示制御手段は、前記第２の画像と共に、撮影者を示すテキスト情報を表示するように制御することを特徴とする請求項８ないし１５のいずれか１項に記載の制御装置。
【請求項１７】
前記第１の画像は静止画、前記第２の画像は動画であり、
前記合成画像は、前記第１の画像の一部領域に前記第２の画像が合成された動画であることを特徴とする請求項８ないし１６のいずれか１項に記載の制御装置。
【請求項１８】
第１の撮像手段と、第２の撮像手段と、を有する撮像装置の制御方法であって、
前記第１の撮像手段により撮影された第１の画像と、前記第２の撮像手段により撮影された第２の画像とを合成した合成画像を生成する合成工程と、
前記合成工程で生成された合成画像と、合成に関する合成情報とを記録媒体に記録する記録工程と、
前記記録媒体に記録された画像を表示手段に表示するための制御をする表示制御工程と、を有し、
前記表示制御工程では、前記合成情報に基づいて、前記合成画像から前記第２の画像を抽出して表示するように制御することを特徴とする撮像装置の制御方法。
【請求項１９】
第１の撮像手段と第２の撮像手段を有する撮像装置により記録媒体に記録された合成画像であって、前記第１の撮像手段により撮影された前記第１の画像と前記第２の撮像手段により撮影された第２の画像とが合成されている合成画像と、前記合成画像に関する合成情報と、を前記記録媒体から読み出す読み出し工程と、
前記記録媒体から読み出した画像を表示するように制御する表示制御工程と、を有し、
前記表示制御工程では、前記合成情報に基づいて、前記合成画像から前記第２の画像を抽出して表示するように制御することを特徴とする画像処理装置の制御方法。
【請求項２０】
コンピュータを、請求項１ないし７のいずれか１項に記載の撮像装置の各手段として機能させるためのプログラム。
【請求項２１】
コンピュータを、請求項８ないし１７のいずれか１項に記載の画像処理装置の各手段として機能させるためのプログラム。
【請求項２２】
請求項１８に記載の撮像装置の制御方法をコンピュータに実行させるためのプログラム。
【請求項２３】
請求項１８に記載の画像処理装置の制御方法をコンピュータに実行させるためのプログラム。
【手続補正２】
【補正対象書類名】明細書
【補正対象項目名】０００６
【補正方法】変更
【補正の内容】
【０００６】
このような目的を達成するために、本発明の画像処理装置は、第１の撮像手段と第２の撮像手段を有する撮像装置により記録媒体に記録された合成画像であって、第１の撮像手段により撮影された第１の画像と第２の撮像手段により撮影された第２の画像とが合成されている合成画像と、合成画像に関する合成情報と、を記録媒体から読み出す読み出し手段と、記録媒体から読み出した画像を表示手段に表示するように制御する表示制御手段と、有し、表示制御手段は、合成情報に基づいて、合成画像から第２の画像を抽出して表示するように制御することを特徴とする。